(57)【要約】  本発明の規範的な実施形態によれば、少なくとも：ユーザ装置への協調協力マルチポイント送信に関与する各送信ポイントを決定し；各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出し；そしてダウンリンクリソースの１つを経てのユーザ装置への送信をユーザ装置への他の各送信ポイント送信に関連して送出する；ための方法、装置及びコンピュータプログラムが提供される。更に、規範的実施形態によれば、少なくとも：ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信し；そしてダウンリンクリソースの１つを経ての送信を他の送信ポイント送信に関連してユーザ装置で受信する；ための方法、装置及びコンピュータプログラムが提供される。【選択図】      図２
2014514849.tif 000002
【特許請求の範囲】
【請求項１】
少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサにより、装置が、少なくとも：
ユーザ装置への協調協力マルチポイント送信に関与する各送信ポイントを決定し；
各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出し；
ダウンリンクリソースの１つを経てのユーザ装置への送信をユーザ装置への他の各送信ポイント送信に関連して送出する；
ようにさせるよう構成された装置。
【請求項２】
前記ダウンリンクメッセージは、物理的ダウンリンクコントロールチャンネルを含み、そして前記ダウンリンクリソースは、物理的ダウンリンク共有チャンネルを含み、前記協調協力マルチポイント送信に関与する全ての送信ポイントにダウンリンクリソースが指定される、請求項１に記載の装置。
【請求項３】
前記物理的ダウンリンクコントロールチャンネルは、各送信ポイントのセルアイデンティティへマップするビットマップを含む、請求項２に記載の装置。
【請求項４】
前記物理的ダウンリンクコントロールチャンネルは、各送信ポイントのセルアイデンティティへマップするビット値をキャリア識別フィールドに含む、請求項２に記載の装置。
【請求項５】
前記コンピュータプログラムコードを含む少なくとも１つのメモリは、少なくとも１つのプロセッサにより、装置が、更に、ダウンリンクメッセージの全てのアイデンティティで初期化される共通基準信号の付近に前記送出された送信をレートマッチングさせるように構成された、請求項１から４のいずれか１項に記載の装置。
【請求項６】
前記送出された送信及び他の各送信ポイント送信は、ダウンリンクメッセージのアイデンティティの１つで初期化されたコードでスクランブルされ分散される、請求項５に記載の装置。
【請求項７】
２つ以上のセルとの協調協力マルチポイント送信の場合に、２つ以上のセルのレートマッチングを可能にするために、リソースエレメントは、物理的ダウンリンク共有チャンネルにおいて未使用のままである、請求項２に記載の装置。
【請求項８】
前記未使用のリソースエレメントは、２つ以上のセルのいずれかにより共通基準信号を送信するためのものである、請求項７に記載の装置。
【請求項９】
前記共通基準信号は、セル特有の基準信号、ポジショニング基準信号、チャンネル状態情報基準信号、及びマルチキャストブロードキャストオーバー信号周波数ネットワーク基準信号、の少なくとも１つを含む、請求項８に記載の装置。
【請求項１０】
前記送信ポイント及び装置の各々は、ネットワークアクセスノードを含む、請求項１から９のいずれか１項に記載の装置。
【請求項１１】
ユーザ装置への協調協力マルチポイント送信に関与する各送信ポイントを決定する段階と；
各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出する段階と；
ダウンリンクリソースの１つを経てのユーザ装置への送信をユーザ装置への他の各送信ポイント送信に関連して送出する段階と；
を含む方法。
【請求項１２】
前記ダウンリンクメッセージは、物理的ダウンリンクコントロールチャンネルを含み、そして前記ダウンリンクリソースは、物理的ダウンリンク共有チャンネルを含み、前記協調協力マルチポイント送信に関与する全ての送信ポイントにダウンリンクリソースが指定される、請求項１１に記載の方法。
【請求項１３】
前記物理的ダウンリンクコントロールチャンネルは、各送信ポイントのセルアイデンティティへマップするビットマップを含む、請求項１２に記載の方法。
【請求項１４】
前記物理的ダウンリンクコントロールチャンネルは、各送信ポイントのセルアイデンティティへマップするビット値をキャリア識別フィールドに含む、請求項１２に記載の方法。
【請求項１５】
２つ以上のセルとの協調協力マルチポイント送信の場合に、２つ以上のセルのレートマッチングを可能にするために、リソースエレメントは、物理的ダウンリンク共有チャンネルにおいて未使用のままである、請求項１２に記載の方法。
【請求項１６】
前記未使用のリソースエレメントは、２つ以上のセルのいずれかにより共通基準信号を送信するためのものである、請求項１５に記載の方法。
【請求項１７】
前記共通基準信号は、セル特有の基準信号、ポジショニング基準信号、チャンネル状態情報基準信号、及びマルチキャストブロードキャストオーバー信号周波数ネットワーク基準信号、の少なくとも１つを含む、請求項１６に記載の方法。
【請求項１８】
ダウンリンクメッセージの全てのアイデンティティで初期化される共通基準信号の付近に前記送出された送信をレートマッチングさせることを含む、請求項１１から１７のいずれか１つに記載の方法。
【請求項１９】
前記送出された送信及び他の各送信ポイント送信は、ダウンリンクメッセージのアイデンティティの１つで初期化されたコードでスクランブルされ分散される、請求項１１に記載の方法。
【請求項２０】
前記送信ポイント及び装置の各々は、ネットワークアクセスノードを含む、請求項１１から１９のいずれか１項に記載の方法。
【請求項２１】
請求項１１から２０のいずれか１項に記載の方法を遂行するために少なくとも１つのプロセッサにより実行可能な少なくとも１つのコンピュータプログラムコードを含む少なくとも１つのコンピュータ読み取り可能な媒体。
【請求項２２】
ユーザ装置への協調協力マルチポイント送信に関与する各送信ポイントを決定する手段と；
各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出する手段と；
ダウンリンクリソースの１つを経てのユーザ装置へ送信をユーザ装置への他の各送信ポイント送信に関連して送出する手段と；
を備えた装置。
【請求項２３】
前記決定手段及び送出手段は、コンピュータプログラムコードを含む少なくとも１つのメモリ、少なくとも１つのプロセッサ、及び通信ネットワークへのインターフェイスを備えている、請求項２２に記載の装置。
【請求項２４】
少なくとも１つのプロセッサと、コンピュータプログラムコードを含む少なくとも１つのメモリと、を備えた装置において、その少なくとも１つのメモリ及びコンピュータプログラムコードは、少なくとも１つのプロセッサにより、装置が、少なくとも：
ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信し；及び
前記ダウンリンクリソースの１つを経ての送信を他の送信ポイント送信に関連して受信する；
ようにさせるよう構成された装置。
【請求項２５】
前記ダウンリンクメッセージは、物理的ダウンリンクコントロールチャンネルを含み、そして前記ダウンリンクリソースは、物理的ダウンリンク共有チャンネルを含み、前記協調協力マルチポイント送信に関与する全ての送信ポイントにダウンリンクリソースが指定される、請求項２４に記載の装置。
【請求項２６】
前記物理的ダウンリンクコントロールチャンネルは、各送信ポイントのセルアイデンティティへマップするビットマップを含む、請求項２５に記載の装置。
【請求項２７】
前記物理的ダウンリンクコントロールチャンネルは、各送信ポイントのセルアイデンティティへマップするビット値をキャリア識別フィールドに含む、請求項２５に記載の装置。
【請求項２８】
２つ以上のセルとの協調協力マルチポイント送信の場合に、２つ以上のセルのレートマッチングを可能にするために、リソースエレメントは、物理的ダウンリンク共有チャンネルにおいて未使用のままである、請求項２５に記載の装置。
【請求項２９】
前記未使用のリソースエレメントは、２つ以上のセルのいずれかにより共通基準信号を送信するためのものである、請求項２８に記載の装置。
【請求項３０】
前記共通基準信号は、セル特有の基準信号、ポジショニング基準信号、チャンネル状態情報基準信号、及びマルチキャストブロードキャストオーバー信号周波数ネットワーク基準信号、の少なくとも１つを含む、請求項２９に記載の装置。
【請求項３１】
前記コンピュータプログラムコードを含む少なくとも１つのメモリは、少なくとも１つのプロセッサにより、装置が、更に、ダウンリンクメッセージの全てのアイデンティティで初期化される共通基準信号の付近に前記受信された送信をレートマッチングさせるように構成された、請求項２４から３０のいずれか１項に記載の装置。
【請求項３２】
前記受信された送信及び他の各送信ポイント送信は、ダウンリンクメッセージのアイデンティティの１つで初期化されたコードでスクランブルされ分散される、請求項２４に記載の装置。
【請求項３３】
前記送信ポイント及び装置の各々は、ネットワークアクセスノードを含む、請求項２４から３２のいずれか１項に記載の装置。
【請求項３４】
ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信する手段と、
前記ダウンリンクリソースの１つを経ての送信を他の送信ポイント送信に関連して受信する手段と、
を備えた装置。
【請求項３５】
前記受信手段は、コンピュータプログラムコードを含む少なくとも１つのメモリ、少なくとも１つのプロセッサ、及び通信ネットワークへのインターフェイスを備えた、請求項３４に記載の装置。
【請求項３６】
ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信する段階と、
前記ダウンリンクリソースの１つを経ての送信を他の送信ポイント送信に関連して受信する段階と、
を含む方法。
【請求項３７】
前記ダウンリンクメッセージは、物理的ダウンリンクコントロールチャンネルを含み、そして前記ダウンリンクリソースは、物理的ダウンリンク共有チャンネルを含み、前記協調協力マルチポイント送信に関与する全ての送信ポイントにダウンリンクリソースが指定される、請求項３６に記載の方法。
【請求項３８】
前記物理的ダウンリンクコントロールチャンネルは、各送信ポイントのセルアイデンティティへマップするビットマップを含む、請求項３７に記載の方法。
【請求項３９】
前記物理的ダウンリンクコントロールチャンネルは、各送信ポイントのセルアイデンティティへマップするビット値をキャリア識別フィールドに含む、請求項３７に記載の方法。
【請求項４０】
２つ以上のセルとの協調協力マルチポイント送信の場合に、２つ以上のセルのレートマッチングを可能にするために、リソースエレメントは、物理的ダウンリンク共有チャンネルにおいて未使用のままである、請求項３７に記載の方法。
【請求項４１】
前記未使用のリソースエレメントは、２つ以上のセルのいずれかにより共通基準信号を送信するためのものである、請求項４０に記載の方法。
【請求項４２】
前記共通基準信号は、セル特有の基準信号、ポジショニング基準信号、チャンネル状態情報基準信号、及びマルチキャストブロードキャストオーバー信号周波数ネットワーク基準信号、の少なくとも１つを含む、請求項４１に記載の方法。
【請求項４３】
ダウンリンクメッセージの全てのアイデンティティで初期化される共通基準信号の付近に前記受信された送信をレートマッチングさせることを更に含む、請求項３６から４２のいずれか１項に記載の
【請求項４４】
前記受信された送信及び他の各送信ポイント送信は、ダウンリンクメッセージのアイデンティティの１つで初期化されたコードでスクランブルされ分散される、請求項３６に記載の方法。
【請求項４５】
前記送信ポイントの各々は、ネットワークアクセスノードを含む、請求項３６から４４のいずれか１項に記載の方法。
【請求項４６】
請求項３６から４５のいずれか１項に記載の方法を遂行するために少なくとも１つのプロセッサにより実行可能な少なくとも１つのコンピュータプログラムコードを含む少なくとも１つのコンピュータ読み取り可能な媒体。
【発明の詳細な説明】
【技術分野】
【０００１】
本発明は、一般的に、ワイヤレス通信に関するもので、より詳細には、ワイヤレス通信における協調整合マルチポイント送信及び受信のための改善型シグナリングに関する。
【背景技術】
【０００２】
本章は、請求の範囲に記載された発明に対する背景又は状況を述べることを意図している。ここでの説明は、追求できる概念を含むが、必ずしも、以前に想像され又は追求されたものではない。それ故、特に指示のない限り、本章に述べるものは、本出願の説明及び請求の範囲に対する従来技術でもないし、本章に含ませることにより従来技術であると認められるものでもない。
【０００３】
以下の説明及び添付図面に見られる幾つかの省略形は、次のように定義される。
３ＧＰＰ：第３世代パートナーシッププロジェクト
ＣＡ：キャリアアグリゲーション
ＣＣ：コンポーネントキャリア
ＣＩＦ：キャリアインジケータフィールド
ＣｏＭＰ：整合マルチポイント送信／受信
ＣＲＳ：セル特有の基準信号
ＣＳＩ：チャンネル状態情報
ＣＳＩ−ＲＳ：チャンネル状態情報基準信号
ＤＣＩ：ダウンリンクコントロール情報
ＤＬ：ダウンリンク（ｅＮＢからＵＥに向かう）
ＤＭ−ＲＳ：（ＵＥ特有の）復調基準信号
ｅＮＢ：進化型ＵＴＲＡＮ  ＮｏｄｅＢ（基地局／アクセスノード）
ＨＡＲＱ：ハイブリッド自動リピート要求
ＩＤ：アイデンティティ
ＪＴ：協調送信
ＬＴＥ：長期進化（Ｅ−ＵＴＲＡＮ又は４Ｇ）
ＭＢＳＦＮ：単一周波数ネットワークを経てブロードキャストされるマルチメディア
ＰＤＣＣＨ：物理的ダウンリンクコントロールチャンネル
ＰＤＳＣＨ：物理的ダウンリンク共有チャンネル
ＰＲＳ：ポジショニング基準信号
ＰＵＣＣＨ：物理的アップリンクコントロールチャンネル
ＲＥ：リソースエレメント
ＲＸ：受信
ＴＰ：送信ポイント
ＴＸ：送信
ＵＥ：ユーザ装置
ＵＴＲＡＮ：ユニバーサル地上無線アクセスネットワーク
【０００４】
整合マルチポイント（ＣｏＭＰ）送信及び受信は、３ＧＰＰ  ＬＴＥ−Ａにおいて調査された技術の１つである。ＣｏＭＰは、セル縁のデータレートを改善して、全セルエリアにわたりエンドユーザのためのより均一なデータレート経験を生成するために、最も特別に提案されたものである。ＣｏＭＰ技術は、ユーザ装置へのダウンリンク送信及びユーザ装置からのアップリンク受信に対して基地局ノード（ｅＮｏｄｅＢ）のような異なる送信／受信点間のコラボレーションを高めることを含む。
【０００５】
既に３ＧＰＰ  ＬＴＥ  Ｒｅｌ．１０では、以前に保留されたＣｏＭＰ関連の研究項目が、異種ネットワークに焦点を当てたＣｏＭＰ解決策のような異なるシナリオを調査するために再開されており、これは、高い送信電力のマクロｅＮＢのような異なる送信ポイントと、マクロｅＮＢカバレージ内の多数の低電力の送信ポイントとの間のコラボレーション／協力を伴うものである。例えば、マクロｅＮＢは、慣習的なセルラーアクセスノードの位置にあり、そして低電力送信ポイントは、ＬＴＥホットスポット、マイクロ／ピコ／フェムトｅＮＢ、又はマクロｅＮＢのリモート無線ヘッドである。
【０００６】
キャリアアグリゲーションのためのサポートが３ＧＰＰ仕様書（Ｒｅｌ−１０）に含まれている。キャリアアグリゲーションの１つの具現化では、５つまでのコンポーネントキャリアを一緒にアグリゲートして、システムの帯域巾を増加することができる。
【発明の概要】
【発明が解決しようとする課題】
【０００７】
ＬＴＥ  Ｒｅｌ．１０に定義されたキャリアアグリゲーションシグナリングを使用してＣｏＭＰをサポートすることが示唆されている。しかしながら、この解決策に関連した問題があり、即ちシグナリングの使用上の制約で、オーバーヘッドの増加及び性能の低下を招くと共に、ＣＡシグナリングでは、ＵＥへの単一のデータフローを複数の送信ポイント（セル）から送信するという協調送信ＣｏＭＰシナリオを直接サポートできないことが明らかである。以下に述べる本発明の規範的実施形態は、これらの制約を克服して協調送信ＣｏＭＰを遂行するための効率の高い解決策を提供する。
【課題を解決するための手段】
【０００８】
本発明の規範的な実施形態において、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、装置が、少なくとも：ユーザ装置への協調協力マルチポイント送信に関与する各送信ポイントを決定し；各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出し；及びダウンリンクリソースの１つを経てのユーザ装置への送信をユーザ装置への他の各送信ポイント送信に関連して送出する；ようにさせるよう構成された装置が提供される。
【０００９】
本発明の規範的な実施形態において、ユーザ装置への協調協力マルチポイント送信に関与する各送信ポイントを決定する段階と；各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出する段階と；ダウンリンクリソースの１つを経てのユーザ装置への送信をユーザ装置への他の各送信ポイント送信に関連して送出する段階と；を含む方法が提供される。
【００１０】
本発明の規範的な実施形態において、ユーザ装置への協調協力マルチポイント送信に関与する各送信ポイントを決定する手段と；各送信ポイントを識別すると共に、各送信ポイントが協調協力マルチポイント送信においてユーザ装置へダウンリンクデータを送信すべきところのダウンリンクリソースをユーザ装置についてスケジューリングするダウンリンクメッセージをユーザ装置へ送出する手段と；ダウンリンクリソースの１つを経てのユーザ装置への送信をユーザ装置への他の各送信ポイント送信に関連して送出する手段と；を備えた装置が提供される。
【００１１】
本発明の規範的な実施形態において、少なくとも１つのプロセッサと、コンピュータプログラムコードを含む少なくとも１つのメモリとを備えた装置において、その少なくとも１つのメモリ及びコンピュータプログラムコードは、少なくとも１つのプロセッサとで、装置が、少なくとも：ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信し；及びダウンリンクリソースの１つを経ての送信を他の送信ポイント送信に関連してユーザ装置において受信する；ようにさせるよう構成された装置が提供される。
【００１２】
本発明の更に別の規範的な実施形態において、ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信する手段と；ダウンリンクリソースの１つを経ての送信を他の送信ポイント送信に関連してユーザ装置において受信する手段と；を備えた装置が提供される。
【００１３】
本発明の更に別の規範的な実施形態において、ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージを受信する段階と；ダウンリンクリソースの１つを経ての送信を他の送信ポイント送信に関連してユーザ装置において受信する段階と；を含む方法が提供される。
【００１４】
本発明の実施形態の前記及び他の観点は、以下の詳細な説明を添付図面と共に読んだときに明らかとなるであろう。
【図面の簡単な説明】
【００１５】
【図１】１つのマクロセルのカバレージエリアのもとに４つのマイクロ送信ポイントを伴うネットワーク展開シナリオを示す。
【図２】本発明の規範的実施形態によりＣｏＭＰ送信を遂行する同じｅＮｏｄｅＢのもとで協力する２つのセルの一例を示す。
【図３Ａ】一般的（単一セル）送信のＰＤＣＣＨ／ＰＤＳＣＨのリソースエレメント配列を示す。
【図３Ｂ】本発明のある規範的な実施形態による協調送信のＰＤＣＣＨ／ＰＤＳＣＨのリソースエレメント配列を示す。
【図４Ａ】本発明の規範的実施形態の具現化に使用するのに適した種々の電子装置の簡単なブロック図である。
【図４Ｂ】図４Ａに示す如きユーザ装置の特定のブロック図である。
【図５】本発明の規範的な実施形態による方法のオペレーション及びコンピュータ読み取り可能なメモリで実施されるコンピュータプログラムインストラクションの実行の結果を示す論理フロー図である。
【図６】本発明の規範的な実施形態による方法のオペレーション及びコンピュータ読み取り可能なメモリで実施されるコンピュータプログラムインストラクションの実行の結果を示す論理フロー図である。
【発明を実施するための形態】
【００１６】
ＬＴＥ  Ｒｅｌ−１０で定義されたキャリアアグリゲーション(ＣＡ)シグナリングが、物理的レイヤに僅かな変更を加えるだけでＣｏＭＰに使用される。ＣＡの用語において、マクロセルは、一次コンポーネントキャリアと同様であり、一方、マイクロセルは、二次コンポーネントキャリア（ＣＣ）に対応する。
【００１７】
しかし、この解決策は、協調送信ＣｏＭＰを直接サポートするものではない。原理的には、これは、異なる複数のセルから同じデータをＵＥへ送信するだけで解決されるが、次のような幾つかの重大な欠点を招く。
●物理的リソースを指定するのに使用されるＤＬグラントをセルごとに与える必要があるためにＰＤＣＣＨオーバーヘッドが増加する。
●受信器においてデータをパンクチャー又はナル化する必要があるために異なるセルの性能が低下することからデータ及びＣＲＳ、等の衝突が生じる。
●各ＤＬ送信が個別のＨＡＲＱプロセスを有するので、ＵＥの複雑さが増加する。
【００１８】
本発明の規範的な実施形態は、あるキャリアアグリゲーション原理を向上させそして再使用することにより、これらの制約を克服して、協調送信ＣｏＭＰ遂行する。
【００１９】
当該単一キャリアセルアグリゲーションＣｏＭＰシナリオの一例が図１に示され、この図は、４つのＴＸアンテナを伴う１つのマクロｅＮＢ１０のカバレージエリアを示すもので、このカバレージエリアには、全部で４つのマクロセル／ホットスポット１１０、１２０、１３０、１４０形式の送信ポイントがあり、その各々には幾つか（１、２又は４）のＴＸアンテナ及び各数のＣＳＩ−ＲＳポートが構成されている。この概念では、各送信ポイントが、個別のセルＩＤを各々有するそれら自身のセルである。
【００２０】
本発明の規範的な実施形態は、図１に示すように、あるキャリアアグリゲーション原理を最大限再使用することにより、ユーザ装置が１つ以上のセル（例えば、マクロセル及びマイクロセル）との協調送信ＣｏＭＰオペレーションの受け入れを遂行するための方法を含む。これらの非限定実施形態の顕著な部分を以下に要約する。
●通信ネットワークの異なるセルは、セル特有のパラメータを互いに通信する。その通信は、スクランブルシーケンス初期化に影響するセルＩＤ、ＣＲＳ周波数シフト、ＣＳＩ−ＲＳ構成、等を含む。
●通信ネットワークのＵＥは、多数のセルからのユーザ装置の協調送信を指示する単一のＰＤＣＣＨをｅＮＢから受信する。
○ＰＤＣＣＨ  ＤＬ  ＤＣＩフォーマットでは、協調送信に参加するセルの指示がある。
○１つの規範的なケースでは、この指示は、キャリアインジケータフィールド（ＣＩＦ）の拡張である。
●ＰＤＣＣＨにおいてＤＣＩグラントを受信した後に、ＵＥは、どのセルが協調送信に参加するかを知る。
●ＤＣＩグラントは、スクランブル＆シーケンス初期化、ＣＲＳ及びＤＭ−ＲＳ位置＆シーケンス、等のためにどのセルＩＤが協調送信に使用されるかもＵＥに（暗示的に又は明確に）指示し、従って、ＵＥは、その受信したメッセージに対し同じ目的で同じ（単一の）セルＩＤを使用する。
●ＤＬデータを送信するとき、協調送信に関与する各送信ポイントは、関与する全てのセルの共通基準信号（ＣＲＳ及びもし存在すれば他の基準信号、例えば、ポジショニング基準信号ＰＲＳ及びＣＳＩ−ＲＳ、これは、１つの実施形態では、Ｒｅｌ．１０で定義されたＣＳＩ−ＲＳミュート／ゼロ送信電力ＣＳＩ−ＲＳパターンによって与えられる）の付近にデータをレートマッチングする。
●ＤＬデータを受信するとき、ＵＥは、同じレートマッチングを行うことを知る（即ち、ＵＥは、ＤＬデータが、協調送信に関与するセルのうちのいずれかのセルのＣＲＳ及びＣＳＩ−ＲＳと重畳しないことを知る）。
【００２１】
図２は、以上に述べたオペレーションを示す。この例では、同じマクロｅＮＢ（ｅＮｏｄｅＢ）２１０のもとで協力する２つのセル１及び２がある。セル１及び２は、キャリアアグリゲーションと同様に動作するが、ＵＥ２２０とのＣｏＭＰ送信に適応される。メッセージ２３０において、ＵＥ２２０は、当該セルに対するチャンネル状態情報（ＣＳＩ）を報告する。この報告は、ＣｏＭＰコラボレーションセット及び／又は単一キャリアアグリゲーション（ＣＡ）セットのためのＣＳＩを含む。ブロック２４０において、ｅＮＢ２１０は、複数のセル及び／又は送信ポイント（例えば、リモート無線ヘッド）からの協調送信を決定する。ブロック２５０において、セル２は、セル１及びセル２の両方の共通の基準信号、即ちＣＲＳ、ＰＲＳ、ＣＳＩ−ＲＳ、等より成るアンブレラと共通の基準信号により占有されるリソースエレメントの付近でのレートマッチングを含む選択されたセルＩＤ（例えば、それ自身）に基づいて、物理的ダウンリンク共有チャンネル（ＰＤＳＣＨ）送信を生成する。ブロック２６０において、セル１は、セル１及びセル２の両方の共通の基準信号により占有されるリソースエレメントの付近でのレートマッチングを含む選択されたセルＩＤ（２５０の場合と同じ選択されたセルＩＤ、例えば、それ自身）に基づいて、物理的ダウンリンク共有チャンネル（ＰＤＳＣＨ）送信を生成する。メッセージ２７０は、セル１がＵＥ２２０へ送出する単一のＰＤＣＣＨであり、これは、ＪＴコラボレーションセットを指示すると共に、おそらく、セル１及び２がブロック２５０及び２６０においてどちらのセルＩＤを使用して、まだ未送出のＰＤＳＣＨを生成するか指示する。次いで、セル１は、ブロック２６０においてセル１が生成したＰＤＳＣＨ送信２８０をＵＥ２２０へ送出し、それと共に、セル２は、ブロック２５０においてセル２が生成したＰＤＳＣＨ送信２９０を同じＵＥ２２０へ送出する。ブロック２９３において、ＰＤＣＣＨ指示に基づき、ＵＥ２２０は、それがセル１から受信したＰＤＣＣＨ２７０において得たセル１及びセル２の共通基準信号（即ち、セル特有の基準信号ＣＲＳ、ＭＢＳＦＮ基準信号、ポジショニング基準信号ＰＲＳ及びＣＳＩ−ＲＳ、の少なくとも１つ）の付近に、ＰＤＳＣＨ２８０、２９０においてそれが受信したデータをレートマッチングさせ、そしてその単一セルＩＤにより与えられるスクランブル、ＤＭ−ＲＳ、等に基づいてＰＤＳＣＨをデコードする。ブロック２９６において、ＵＥ２２０は、セル１が送出したＰＤＳＣＨ２８０及びセル２が送出したＰＤＳＣＨ２９０より成る合成ＰＤＳＣＨのためのハイブリッド自動リピート要求をセル１へ送出するが、ＵＥ２２０は、セル２が送出したＰＤＳＣＨ２９０のためのＨＡＲＱ応答をセル２へ個別に送出しない。セル１は、ＨＡＲＱ要求２９６を得る。というのは、Ａ／Ｎをシグナリングするのに使用されるＰＵＣＣＨがセル１にあるからである。
【００２２】
ＣＲＳは、共通基準信号の頭字語として使用されるのではなく、セル特有の基準信号の頭字語として使用され、これは、送信特有の復調基準信号（ＤＭ−ＲＳ）以外のものであると共に、送信特有のレートマッチング以外のものでもあることに注意されたい。更に、本発明の実施形態によれば、本出願に使用される「共通基準信号」という語は、他の関連用語に加えて、セル特有の基準信号（ＣＲＳ）、ポジショニング基準信号（ＰＲＳ）、チャンネル状態情報基準信号（ＣＳＩ−ＲＳ）、及びマルチキャストブロードキャストオーバー「単一周波数ネットワーク」基準信号（ＭＢＳＦＮ  ＲＳ）のいずれか又は全部を網羅する。
【００２３】
上述したレートマッチングは、単一の物理的リソースブロック（ＰＲＢ）について図３Ａ及び３Ｂに例示されている。図３Ｂにおいて、異なるセルＩＤをもつ２つのセルが含まれる。
【００２４】
図３Ａは、ＣＲＳ、及び構成されたＣＲＳパターンの付近のＰＤＳＣＨミューティングに関して従来の単一セル送信（３ＧＰＰリリース８、９及び１０に関する）をどのように構成するか示している。明瞭化のため、ＣＳＩ−ＲＳ、ＰＲＳ、ＭＢＳＦＮ  ＲＳ、及びＤＭ−ＲＳのような他の共通基準信号は、これらの図には示されていないが、レートマッチングは、ＰＤＳＣＨにおいてそれらに対して行われる。図３Ａでは、暗い陰影は、ＰＤＳＣＨに使用されるＲＥ（格付けされたＣＳＩ−ＲＳ及びＤＭ−ＲＳを含む）、及び２つの構成されたＣＲＳポート（Ｒ０＆Ｒ１）の付近でのレートマッチングを示す。
【００２５】
図３Ｂを参照すれば、２つ以上のセルとの協調送信について、これらの実施形態では、例えば、ＣＳＩ−ＲＳミューティングパターン及びＤＭ−ＲＳによって与えられるＣＳＩ−ＲＳに加えて、個々のセルＩＤをもつ異なる当該セルの共通基準信号パターンの付近でレートマッチングを行う必要がある。図３Ｂの部分（１）に示したレートマッチングは、セルＩＤ１の場合であり、そして図３Ｂの部分（２）に示したレートマッチングは、セルＩＤ２の場合であり、これは、セルＩＤ１及びセルＩＤ２の共通基準信号のサブセットであるＣＲＳの一例について示すに過ぎない。図３Ｂにおいて、陰影付けされていないセルは、協調ＰＤＳＣＨ送信に含まれる他のセルの規範的ＣＲＳパターンのレートマッチングを可能にするために、ここに示すＰＤＳＣＨ送信において未使用のままであるＲＥを示している。というのは、各当該セルが異なるセルＩＤ（及び異なるＲＥに対して構成された関連ＣＲＳパターン及び周波数シフト）を有するからである。
【００２６】
本発明の実施形態によれば、ＵＥは、ＤＬグラント／ＰＤＣＣＨにおいてそれが受信するシグナリングであって、ＪＴ  ＣｏＭＰにどのセルが関与するか指示するシグナリングにより、保留中の協調送信に気付く。１つの実施形態では、その指示は、ビットマップと、セルのセットへの直接的な関連マッピングとにより行われる。或いは又、共通基準信号送信に使用される各セルＩＤ及びそれに対応するＲＥは、直接的にシグナリングされてもよい。更に、ＵＥは、共通基準信号の付近のＰＤＳＣＨに対するレートマッチングに暗示的に気付き、そしてそれをＰＤＳＣＨデコーディングプロセスにおいて考慮することができる。
【００２７】
１つの実施形態においてスクランブル（ＤＭ−ＲＳ送信、等）を行うセル（セルＩＤ）の定義は、ＰＤＣＣＨを経てユーザ装置へＤＬグラントを送信するｅＮＢのセルＩＤである。これは、図２に示す例であり、その効果は、それが最も簡単で且つ最も容易な解決策であると思われることである。別の実施形態では、ＤＭ−ＲＳ送信及びスクランブル等を定義するセルＩＤは、ＪＴにおいてコラボレートするセルのセットに含まれるＳｅｒｖＣｅｌｌＩｎｄｅｘの最小値であり、これは、ＵＥがＰＤＣＣＨから学習するものでもある。更に別の実施形態では、ＤＭ−ＲＳ送信及びデータスクランブル等を定義するセルＩＤは、ＵＥへ別々にシグナリングされる。
【００２８】
図２を参照して上述した本発明の規範的実施形態によれば、ＰＤＣＣＨ  ＤＬ指定は、協調ＣｏＭＰオペレーションにどのセルが参加するかの指示を含むように変更され、そしてその変更されたＰＤＣＣＨがユーザ装置のような別の装置へシグナリングされる。
【００２９】
ＬＴＥ  リリース１０では、キャリアアグリゲーションの目的で、ＰＤＣＣＨの特定のリソースグラントがどの（単一）キャリア／セルを指すか指示するために３ビットＣＩＦが導入される。３ビットであることから、ＣＩＦは、原理的に、８つまでのコンポーネントキャリア／セルの１つを指示することができるが、ＬＴＥリリース１０の物理的レイヤ仕様は、５つまでのＣＣに対するサポートしか与えない。それ故、ＣＩＦには他のユーザに利用できるビット値が僅かしかない。
【００３０】
しかしながら、上述したＪＴ  ＣｏＭＰオペレーションでは、ＣＩＦを使用して関与するセルを識別することは、常に充分というのではない。というのは、同時に複数のセルを識別する必要があるからである。ＤＬリソースグラント／ＰＤＣＣＨにおいて協力する全てのＪＴ  ＣｏＭＰを識別するための前記技術によれば、その目的でＰＤＣＣＨをどのように変更するかの種々の具現化を以下に示す。
●協力する（例えば、協調送信）セルと同数のビットのビットマップを定義する。ビットマップのビットをトグルすることにより、完全な融通性の中で協調送信に関与するセルを指示することができる。例えば、５ビットでは、５つまでのセルの組み合わせを完全に且つ柔軟に指示することができる。使用するビットは、それより多くても、少なくてもよい。
●ＣＩＦのコンテンツを再定義し、例えば、所与のキャリアアグリゲーション構成において冗長であるコードポイントの幾つかを使用して、協力協調送信ＣｏＭＰセルを指示する。例えば、考慮すべき協力セルが３つある場合には、ＣＩＦをビットマップとして解釈し直して、ＪＴスケジューリングに完全な柔軟性を与えることができる。
【００３１】
図４Ａ−４Ｂを参照して、本発明の解決策の種々の観点を実施し及び／又は具現化するのに使用される例示的な且つ非限定的な装置／デバイスについて説明する。
【００３２】
図４Ａは、本発明の規範的な実施形態による方法を遂行するのに適した装置を代表する通信ネットワーク１を一例として示す。図４Ａにおいて、ＴＰ（送信ポイント）１０及びＴＰ１２がある。ＴＰ１２及びＴＰ１０は、セルＡ及びセルＢのような個別のセルにあってもよいし、又は同じセルにあってもよい。これらのセルは、両方とも、単一の基地局のコントロールのもとにあることに注意されたい。ＴＰ１０及び１２は、光ファイバリンク又はワイヤレスリンク（例えば、１１、１５及び１６）のようなリンクを経て通信するようにされる。ここに述べるＴＰ１２の機能は、ＬＴＥ−Ａにおけるタイプ１リレーのようなリレーノードにより行われ、これは、それ自身のセルにわたってコントロールすると共に、ＵＥ１４又はＴＰ１２及び１４にとって他の装置としてみられる。通信ネットワークは、ＭＭＥ／Ｓ−ＧＷ機能を含むネットワークコントロールエレメント（図示せず）を備え、これは、電話ネットワーク及び／又はデータ通信ネットワーク（例えば、インターネット）のような別の広いネットワークとの接続を与える。又、ＴＰ１２は、コンピュータ又はデータプロセッサ（ＤＰ）１２Ａのようなコントローラと、コンピュータインストラクションのプログラム（ＰＲＯＧ）１２Ｃを記憶するメモリ（ＭＥＭ）１２Ｂとして実施されるコンピュータ読み取り可能なメモリ媒体と、１つ以上のアンテナを経てＵＥ１０と通信するための適当なＲＦトランシーバ１２Ｄも備えている。ｅＮＢ１２は、データ／コントロール経路（図示せず）を経てＮＣＥに結合される。ＴＰ１２は、インターフェイスとして具現化されるデータ／コントロール経路１１を経てＴＰ１０へ結合される。ＴＰ１０も、コンピュータ又はデータプロセッサ（ＤＰ）１０Ａのようなコントローラと、コンピュータインストラクションのプログラム（ＰＲＯＧ）１０Ｃを記憶するメモリ（ＭＥＭ）１０Ｂとして実施されるコンピュータ読み取り可能なメモリ媒体と、１つ以上のアンテナを経てＵＥ１４と通信するための適当なＲＦトランシーバ１０Ｄを備えている。ＴＰ１０は、データ／コントロール経路（図示せず）を経てＮＣＥに結合される。ＴＰ１０は、これもインターフェイスとして具現化されるデータ／コントロール経路１１を経てＴＰ１２へ結合される。データ／コントロール経路又はリンクは、ワイヤードでもワイヤレスでもよいことに注意されたい。更に、ＴＰ１０又はＴＰ１２の少なくとも一方は、ｅＮＢのような基地局であることに注意されたい。
【００３３】
更に、図４ＡにはＵＥ１４が示されている。ＵＥ１４は、コンピュータ又はデータプロセッサ（ＤＰ）１４Ａのようなコントローラと、コンピュータインストラクションのプログラム（ＰＲＯＧ）１４Ｃを記憶するメモリ（ＭＥＭ）１４Ｂとして実施されるコンピュータ読み取り可能な記憶媒体と、１つ以上のアンテナを経て、及びデータ／コントロール経路１５、１６を経て、ＴＰ１２及び／又はＴＰ１０と両方向性ワイヤレス通信する適当な高周波（ＲＦ）トランシーバ１４Ｄとを備えている。データ／コントロール経路又はリンクは、ワイヤードでもワイヤレスでもよいことに注意されたい。
【００３４】
ＰＲＯＧ１０Ｃ、１２Ｃ及び１４Ｃの少なくとも１つは、関連するＤＰにより実行されたときに、以下に詳細に述べるように、本発明の規範的な実施形態に基づいて基地局及び装置を動作できるようにするプログラムインストラクションを含むものと仮定する。
【００３５】
即ち、本発明の規範的な実施形態は、ＵＥ１４のＤＰ１４Ａにより及び／又はＴＰ１２のＤＰ１２Ａにより、及び／又はｅＮＢ１０のＤＰ１０Ａにより又はハードウェアにより或いはソフトウェアとハードウェア（及びファームウェア）の組み合わせにより実行できるコンピュータソフトウェアによって少なくとも一部分が具現化される。
【００３６】
本発明の規範的な実施形態の説明上、ＵＥ１４は、ＣｏＭＰユニット１４Ｅも含み、そしてＴＰ１２及びＴＰ１０は、ＣｏＭＰユニット１２Ｅ及び１０Ｅを各々含むものと仮定する。これらの処理ユニット１０Ｅ、１２Ｅ及び１４Ｅは、少なくとも、ＣｏＭＰ指示、ＰＤＣＣＨ、ＰＤＳＣＨ、セルＩＤを発生し、そしてスクランブルコードを発生する以下に述べる例示のための非限定的な実施形態に基づき、スクランブル及びレートマッチングに関連したオペレーションを遂行する。ず４Ａに別々の個別のユニット１０Ｅ、１２Ｅ、及び１４Ｅとして示されているが、物理的なプロセッサが各ＣｏＭＰを動作して、本発明の規範的な実施形態を遂行するように働く。更に、ある実施形態又は少なくとも幾つかの実施形態は、１０、１２、１４のような同じ又は別の装置／デバイス内で、ＤＰ１０Ａ、１２Ａ及び１４Ａのような別のプロセッサ又は他の下位／従属／スレーブプロセッサにより遂行される。
【００３７】
一般的に、ＵＥ１４の種々の実施形態は、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような画像捕獲装置、ワイヤレス通信能力を有するゲーム機、ワイヤレス通信能力を有する音楽記憶再生機器、ワイヤレスインターネットアクセス及びブラウジングを許すインターネット機器、及びそのような機能を組み合わせて合体するポータブルユニット又はターミナルを含むが、これに限定されない。
【００３８】
コンピュータ読み取り可能なＭＥＭ１０Ｂ、１２Ｂ及び１４Ｂは、ローカル技術環境に適した任意の形式のもので、半導体ベースのメモリ装置、フラッシュメモリ、磁気メモリ装置及びシステム、光学メモリ装置及びシステム、固定メモリ及び除去可能なメモリのような適当なデータ記憶技術を使用して具現化される。ＤＰ１０Ｂ、１２Ｂ及び１４Ｂは、ローカル技術環境に適した任意の形式のもので、汎用コンピュータ、特殊目的コンピュータ、マイクロプロセッサ、デジタル信号プロセッサ（ＤＳＰ）、及びマルチコアプロセッサアーキテクチャーをベースとするプロセッサの１つ以上を、非限定例として、含む。
【００３９】
図４Ｂは、規範的なＵＥを平面図（左）及び断面図（右）で詳細に示し、本発明は、これらより多くの機能特有コンポーネントの１つ又は幾つかの組み合わせで具現化される。図４Ｂにおいて、ＵＥ１４は、グラフィックディスプレイインターフェイス２０、及びキーボードとして示されたユーザインターフェイス２２を有するが、グラフィックディスプレイインターフェイス２０のタッチスクリーン技術及びマイクロホン２４の音声認識技術も包含することを理解されたい。電源アクチュエータ２６は、ユーザによってターンオン及びオフされる装置をコントロールする。規範的なＵＥ１０は、カメラ２８を有し、これは、（例えば、ビデオコールのために）前方を向いて示されているが、それとは別に又はそれに加えて（例えば、画像及びビデオを捕獲してローカル記憶するために）後方を向いてもよい。カメラ２８は、シャッターアクチュエータ３０により及び任意であるがズームアクチュエータ３２によりコントロールされ、ズームアクチュエータは、カメラ２８がアクティブモードにないときには、スピーカ３４の音量調整器として機能してもよい。
【００４０】
図４Ｂの断面図では、典型的にセルラー通信に使用される複数の送信／受信アンテナ３６が見られる。アンテナ３６は、ＵＥの他の無線にも使用するためのマルチバンドである。アンテナ３６の動作可能なグランドプレーンは、ＵＥハウジングによって包囲された全空間にわたるものとして陰影付けして示されるが、ある実施形態では、グランドプレーンは、電力チップ３８が形成されるプリント配線板に配置されるような小さなエリアに制限される。電力チップ３８は、空間ダイバーシティが使用される場合に同時に送信するアンテナを経て送信されるチャンネルの電力増幅をコントロールすると共に、受信した信号を増幅する。電力チップ３８は、増幅された受信信号を高周波（ＲＦ）チップ４０へ出力し、このチップは、基本帯域処理のために信号を復調しダウン変換する。基本帯域（ＢＢ）チップ４２は、信号を検出し、その信号は、次いで、ビットストリームに変換され、最終的にデコードされる。装置で発生されてそこから送信される信号については同様のプロセスが逆に行われる。
【００４１】
又、規範的なＵＥ１４は、カメラ２８及び画像／ビデオプロセッサ４４と、スピーカ３４へ出力すると共にマイクロホン２４で受信した入力を処理するための個別のオーディオプロセッサ４６も備えている。グラフィックディスプレイインターフェイス２０は、ユーザインターフェイスチップ５０によりコントロールされるフレームメモリ４８からリフレッシュされ、ユーザインターフェイスチップは、ディスプレイインターフェイス２０への及びそこからの信号を処理し、及び／又はそれに加えてキーパッド２２及びどこかからのユーザ入力も処理する。又、ＵＥ１４のある実施形態は、ワイヤレスローカルエリアネットワーク無線ＷＬＡＮ３７及びＢｌｕｅｔｏｏｔｈ（登録商標）無線３９のような１つ以上の二次無線も備え、これは、オンチップアンテナを合体するか、又はオフチップアンテナに結合される。装置全体にわたり、ランダムアクセスメモリＲＡＭ４３、リードオンリメモリＲＯＭ４５のような種々のメモリがあると共に、ある実施形態では、種々のプログラム１４Ｃが記憶される図示されたメモリカード４７のような除去可能なメモリもある。ＵＥ１４内のこれら全てのコンポーネントは、通常、バッテリ４９のようなポータブル電源によって通電される。
【００４２】
前記プロセッサ１０Ｅ／１２Ｅ／１４Ｅ、３８、４０、４２、４４、４６、５０は、ＵＥ１４又はＴＰ１２又はＴＰ１０において個別のエンティティとして実施された場合に、メインプロセッサ１０Ａ、１２Ａ及び１４Ｅに対してスレーブ関係で動作し、メインプロセッサは、それらに対してマスター関係にある。図４Ｂのこれら種々のプロセッサのいずれか又は全部が、そのプロセッサとオンチップであるか又はそれとは個別の種々のメモリの１つ以上にアクセスする。又、ピコネットより広いネットワークを経て通信することに向けられた同様の機能特有コンポーネント（例えば、コンポーネント３６、３８、４０、４２−４５及び４７）が、図４Ｂに示す２つ以外のタワー装着アンテナのアレイを有する１０及び１２のようなアクセスノードの規範的実施形態に配置される。
【００４３】
上述した種々のチップ（例えば、１０Ｅ／１２Ｅ／１４Ｅ、３８、４０、４２、等）は、ここに述べたものより少数へと合成されてもよいし、最もコンパクトなケースでは、その全部が単一チップ内に物理的に実施されてもよいことに注意されたい。
【００４４】
図５は、本発明の規範的実施形態による方法及び装置のオペレーションを示すブロック図である。ブロック５０１において、ユーザ装置への協調協力マルチポイント送信に関与する各送信ポイントを決定する。ブロック５０２において、各送信ポイントを識別し且つ協調協力マルチポイント送信において各送信ポイントがユーザ装置へダウンリンクデータを送出すべきところのダウンリンクリソースをユーザ装置についてスケジューリングするダウンリンクメッセージをユーザ装置へ送出する。更に、ブロック５０４において、ダウンリンクリソースの１つを経てユーザ装置へ送信を送出するのに関連して他のダウンリンクリソースを経てユーザ装置へ他の送信ポイントの各送信を行う。ブロック５０８に示すように、ダウンリンクメッセージは、物理的ダウンリンクコントロールチャンネルを含み、そしてダウンリンクリソースは、物理的ダウンリンク共有チャンネルを含み、ここで、協調協力マルチポイント送信に関与する全ての送信ポイントにダウンリンクリソースが指定される。ブロック５１０によれば、物理的ダウンリンクコントロールチャンネルは、各送信ポイントのセルアイデンティティへマップするビットマップを含む。ブロック５１２によれば、物理的ダウンリンクコントロールチャンネルは、各送信ポイントのセルアイデンティティへマップするビット値をキャリア識別フィールドに含む。ブロック５１５において、図５の方法は、更に、ダウンリンクメッセージの全てのアイデンティティで初期化される共通基準信号の付近に前記送出された送信をレートマッチングさせることを含む。更に、ブロック５２０により、前記送出された送信及び他の各送信ポイント送信は、ダウンリンクメッセージのアイデンティティの１つで初期化されたコードでスクランブルされ分散される。送信ポイント及び装置の各々は、ネットワークアクセスノードを含むことに注意されたい（ブロック５２２）。ブロック５２４では、２つ以上のセルとの協調協力マルチポイント送信の場合に、２つ以上のセルのレートマッチングを可能にするために、リソースエレメントは、物理的ダウンリンク共有チャンネルにおいて未使用のままである。更に、２つ以上のセルのいずれかにより共通基準信号を送信するために未使用のリソースエレメントがある（ブロック５３０）。更に、図５に示す方法では、信号のキャリア識別フィールドの拡張に指示が含まれる。加えて、ブロック５３５によれば、共通基準信号は、セル特有の基準信号、ポジショニング基準信号、チャンネル状態情報基準信号、及びマルチキャスト及び／又はマルチメディアブロードキャストオーバー信号周波数ネットワーク基準信号、の少なくとも１つを含む。
【００４５】
同様に、図６は、本発明の規範的実施形態による方法及び装置のオペレーションを示すブロック図である。ブロック６０２によれば、ユーザ装置との協調協力マルチポイント送信に関与する各送信ポイントを識別すると共に、ユーザ装置が協調協力マルチポイント送信のために送信ポイントからダウンリンクデータを受信すべきところのダウンリンクリソースをスケジューリングするダウンリンクメッセージをユーザ装置で受信する。更に、ブロック６０３では、ダウンリンクリソースの１つにおける送信を他のダウンリンクリソースにおける他の送信ポイントの送信に関連してユーザ装置で受信する。ブロック６０５によれば、ダウンリンクメッセージは、物理的なダウンリンクコントロールチャンネルを含み、そしてダウンリンクリソースは、物理的なダウンリンク共有チャンネルを含み、ここで、協調協力マルチポイント送信に関与する全ての送信ポイントにダウンリンクリソースが指定される。ブロック６０７では、物理的なダウンリンクコントロールチャンネルは、各送信ポイントのセルアイデンティティへマップするビットマップを含む。更に、ブロック６１０において、２つ以上のセルとの協調協力マルチポイント送信の場合に、２つ以上のセルのレートマッチングを可能にするために、リソースエレメントは、物理的ダウンリンク共有チャンネルにおいて未使用のままである。ブロック６１２によれば、物理的ダウンリンクコントロールチャンネルは、各送信ポイントのセルアイデンティティへマップするビット値をキャリア識別フィールドに含む。ブロック６１５に示すように、図６に示す方法は、更に、ダウンリンクメッセージの全てのアイデンティティで初期化される共通基準信号の付近に前記受信した送信をレートマッチングさせることを含む。更に、ブロック６３２では、前記受信した送信及び他の送信ポイントの各送信は、ダウンリンクメッセージのアイデンティティの１つで初期化されたコードでスクランブル解除され、分散解除される。ブロック６３５に示すように、各送信ポイントは、ネットワークアクセスノードを含む。更に、ブロック６４０では、共通基準信号を送信するために未使用のリソースエレメントがある。更に、ブロック６４５によれば、共通基準信号は、セル特有の基準信号、ポジショニング基準信号、チャンネル状態情報基準信号、及びマルチキャスト及び／又はマルチメディアブロードキャストオーバー信号周波数ネットワーク基準信号、の少なくとも１つを含む。
【００４６】
図５及び６に示す種々のブロックは、方法ステップと考えられ、及び／又は非一時的なコンピュータ読み取り可能なメモリ媒体に記憶されたコンピュータプログラムコードのオペレーションから生じるオペレーションと考えられ、及び／又は関連する機能（１つ又は複数）を実施するように構成された複数の結合されたロジック回路エレメントとして考えられる。
【００４７】
本発明の規範的な実施形態は、次のような多数の効果を有する。
●キャリアアグリゲーションに対して最大の相乗効果で協調協力ＣｏＭＰオペレーションを行うことができる。
●スケジューラ、シグナリング、等の具現化を簡単化する。
●既に存在するサポート機能として実施形態の容易な標準化を与える。
●ダウンリンクコントロールシグナリングの観点から効率的で且つ頑健な解決策を与える。
●ＣＲＳへの／ＣＲＳからの干渉、及び受信器においてデータをパンクチャーする必要性を回避し、そしてシステム性能を全体的に改善する。
【００４８】
一般的に、種々の実施形態は、ハードウェア又は特殊目的の回路、ソフトウェア、ロジック又はその組み合わせで具現化される。例えば、ある観点は、ハードウェアで具現化され、他の観点は、コントローラ、マイクロプロセッサ、又は他のコンピューティング装置により実行されるファームウェア又はソフトウェアで具現化されるが、本発明は、それに限定されない。本発明の種々の観点は、ブロック図、フローチャート、又は他の絵画的表現を使用して説明したが、これらのブロック、ここに述べる装置、システム、技術又は方法は、非限定例として、ハードウェア、ソフトウェア、ファームウェア、特殊目的の回路又はロジック、汎用ハードウェア又はコントローラ又は他のコンピューティング装置、或いはその幾つかの組み合わせで具現化できることを理解されたい。
【００４９】
本発明の実施形態は、集積回路モジュールのような種々のコンポーネントで具現化することができる。集積回路の設計は、全般的に、高度に自動化されたプロセスである。論理レベル設計を、半導体基板上にエッチングされ形成される準備のできた半導体回路設計へ変換するための複雑で且つパワフルなソフトウェアツールが入手可能である。
【００５０】
以上の説明は、本発明を実施するために本発明者により現在意図される最良の方法及び装置の完全且つ有益な説明を一例及び非限定例として与える。しかしながら、以上の説明に鑑み、当業者であれば、添付図面及び特許請求の範囲と共に読んだときに、種々の変更や応用が明らかとなるであろう。しかしながら、本発明の技術のそのような変更及び同様の変更は、全て、本発明の範囲内に包含される。
【００５１】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【００５２】
更に、本発明の好ましい実施形態の幾つかの特徴は、他の特徴を対応的に使用せずに、効果的に使用することができる。従って、以上の説明は、本発明の原理を単に例示するもので、それに限定されない。
【符号の説明】
【００５３】
１０、１２：送信ポイント（ＴＰ）
１１、１５、１６：リンク
１０Ａ、１２Ａ、１４Ａ：データプロセッサ（ＤＰ）
１０Ｂ、１２Ｂ、１４Ｂ：メモリ（ＭＥＭ）
１０Ｃ、１２Ｃ、１４Ｃ：コンピュータインストラクションのプログラム（ＰＲＯＧ）
１０Ｄ、１２Ｄ、１４Ｄ：ＲＦトランシーバ
１０Ｅ、１２Ｅ、１４Ｅ：ＣｏＭＰユニット
１４：ユーザ装置（ＵＥ）
１５、１６：データ／コントロール経路
２０：グラフィックディスプレイインターフェイス
２２：ユーザインターフェイス
２４：マイクロホン
２６：電源アクチュエータ
２８：カメラ
３０：シャッターアクチュエータ
３２：ズームアクチュエータ
３６：アンテナ
３８：電力チップ
４０：高周波（ＲＦ）チップ
４２：基本帯域（ＢＢ）チップ
４４：画像／ビデオプロセッサ
４６：オーディオプロセッサ
４８：フレームメモリ
４９：バッテリ
５０：ユーザインターフェイスチップ
【図３Ａ】
2014514849.tif 000003
【図３Ｂ】
2014514849.tif 000004
【図５】
2014514849.tif 000005
【図６】
2014514849.tif 000006
【図１】
2014514849.tif 000007
【図２】
2014514849.tif 000008
【図４Ａ】
2014514849.tif 000009
【図４Ｂ】
2014514849.tif 000010
【国際調査報告】
2014514849.tif 000011
2014514849.tif 000012
2014514849.tif 000013